(57)【要約】【課題】枢軸シャフトの軸線を捩る方向の力が加わっても、両側のロックギヤを輪状のギヤと正常に噛み合う状態に保て、シートバックの着座姿勢を円滑に角度調整しまたは前倒しさせられるよう構成する。【解決手段】ロック機構１，１’をシートバックの枢軸部両側に装備し、双方のロック機構１，１’をカムの作動軸１６，１６’に掛け渡す枢軸シャフト４で相互に連結し、枢軸シャフト４を介して各ロック機構１，１’のカムを同期回転させる操作レバー５を片方のロック機構１より外方に突出する作動軸１６の軸線上に装備するもので、片方のカムを枢軸シャフト４の片端部４ａと一体に固着し、他方のカムを枢軸シャフト４の他端部４ｂと数度の角度でズレ動き可能に組み付けて双方のロック機構１，１’を枢軸シャフト４で相互に連結する。【選択図】　図１
2004081390.tif 000002
【特許請求の範囲】
【請求項１】
円盤形のハウジングと、ギヤ歯を外周壁の内面に設けた円盤形のカバープレートとをすれ違い回転可能に相対させて組み付け、カバープレートのギヤ歯と噛み合うギヤ歯を外周縁に設けたロックギヤと、ロックギヤをカバープレートのギヤ歯と噛合せ乃至は解除させるカムとをハウジングとカバープレートとの相対間に組み付け、カムの板面より側方に突設する作動軸をハウジング並びにカバープレートの板面中央に挿通させて組み立てたロック機構を備え、
ハウジングとカバープレートとをシートバックフレームとシートクッションフレームとの各板面に個別にあてがってロック機構をシートバックとシートクッションとの枢軸部両側に装備し、双方のロック機構をカムの作動軸に掛け渡す枢軸シャフトで相互に連結し、枢軸シャフトを介して各ロック機構のカムを同期回転させる操作レバーを片方のロック機構より外方に突出する作動軸の軸線上に装備する両持ち式リクライニングシートにおいて、
片方のカムを枢軸シャフトの片端部と一体に固着し、他方のカムを枢軸シャフトの他端部と数度の角度でズレ動き可能に組み付け、双方のロック機構を枢軸シャフトで相互に連結したことを特徴とする両持ち式リクライニングシート。
【請求項２】
円盤形のハウジングと、輪状のギヤ歯を外周壁の内面に設けた円盤形のカバープレートとをすれ違い回転可能に相対させて組み付け、カバープレートのギヤ歯と噛み合うギヤ歯を外周縁に設けた複数のロックギヤをハウジングの内側で放射状に並べてカバープレートのギヤ歯と噛合せ乃至は解除可能に組み付けると共に、各ロックギヤをカバープレートのギヤ歯と噛合せ変位乃至は解除変位させるカムをロックギヤの中央位置に組み付け、カムの板面より側方に突設する作動軸をハウジング並びにカバープレートの板面中央に挿通させて組み立てたロック機構を備えたことを特徴とする請求項１に記載の両持ち式リクライニングシート。
【請求項３】
所定幅の内部空間を保って片筒端の相対する両側の周面を扁平面として変形した円筒状の枢軸シャフトを備えると共に、枢軸シャフトの空間幅より肉厚の薄い二つの鍔部を片軸端上の相対位置に形成した作動軸を片方のカムに備え、作動軸の鍔部を形成した軸端側を枢軸シャフトの変形した筒端側の筒内に嵌め合せ、片方のカムを作動軸で枢軸シャフトの筒端部と数度の角度でズレ動き可能に組み付けたことを特徴とする請求項１または２に記載のリクライニングシート。
【請求項４】
二つの鍔部を中心軸部の相対位置に形成し、各鍔部を枢軸シャフトの筒内で相対する円弧面と摺接可能に形成し、中心軸部を枢軸シャフトの筒内で相対する扁平面と摺接可能に形成した作動軸を片方のカムに備え、作動軸の鍔部を形成した軸端側を枢軸シャフトの変形した筒端側の筒内に嵌め合せ、片方のカムを作動軸で枢軸シャフトの筒端部と数度の角度でズレ動き可能に組み付けたことを特徴とする請求項３に記載のリクライニングシート。
【請求項５】
枢軸シャフトの片筒端を片方のカムと作動軸で一体に固定すると共に、作動軸の鍔部を枢軸シャフトの変形した筒内でレバー操作によるカムの回転方向と同方向に設けた円弧面の角部に当接配置させて作動軸の鍔部を形成した軸端側を枢軸シャフトの変形した筒端側に嵌め合せ、双方のロック機構を枢軸シャフトで相互に連結したことを特徴とする請求項３または４に記載の両持ち式リクライニングシート。
【請求項６】
操作レバーを枢軸シャフトと一体に固定するカムの作動軸に備え付けたことを特徴とする請求項１〜５のいずれかに記載の両持ち式リクライニングシート。
【発明の詳細な説明】
【０００１】
【発明の属する技術分野】
本発明は、リクライニング用のロック機構をシートバックとシートクッションの枢軸部両側に備え、双方のロック機構を枢軸シャフトで連結すると共に、操作レバーを片方のロック機構に備え付け、レバー操作によりシートバックをリクライニング作動可能に構成する両持ち式のリクライニングシートに関するものである。
【０００２】
【従来の技術】
従来、リクライニングシートとしては、円盤形のハウジングと、輪状のギヤ歯を外周壁の内面に設けた円盤形のカバープレートとをすれ違い回転可能に相対させて組み付け、ギヤ歯を外周縁に設けた複数のロックギヤをハウジングの内側で放射状に並べ輪状のギヤ歯と噛合せ乃至は解除可能に組み付けると共に、各ロックギヤを噛合せ変位乃至は解除変位させるカムをロックギヤの中央位置に組み付け、カムの板面より側方に突設する作動軸をハウジング並びにカバープレートの板面中央に挿通させて組み立てるロック機構を備えるものが提案されている（フランス特許発行番号：２５７８６０２、特開平８−２５３０６３号、ＵＳＰ６３１２０５３）。
【０００３】
そのリクライニングシートは、ハウジングとカバープレートとをシートバックフレームとシートクッションフレームとの各板面に個別にあてがってロック機構をシートバックとシートクッションとの枢軸部両側に装備し、双方のロック機構をカムの作動軸に掛け渡す円筒状の枢軸シャフトで相互に連結し、操作レバーを片方のロック機構より外方に突出する作動軸の軸線上に備え、レバー操作により枢軸シャフトを介して各ロック機構のカムを共に回転させることから両持ち式に構成されている。
【０００４】
通常、両持ち式のリクライニングシートにおいては、枢軸シャフトの両端部が各カムの作動軸といずれもリジッドに連結固定されている。それによると、乗員が両側のロック機構を着座姿勢でレバー操作し、またはシートバックを着座姿勢に復帰させるに伴って、枢軸シャフトの軸線を捩る方向の力が加わるときには、両側のカムが同期的に作動しないで互いにズレ回転する虞れがある。このため、一方のロックギヤが輪状のギヤと正常に噛み合っても、他方のロックギヤが輪状のギヤと歯先相互で噛み合ってしまい、シートバックの着座姿勢を円滑に角度調整できない事態を招く。
【０００５】
【発明が解決しようとする課題】
本発明は、枢軸シャフトの軸線を捩る方向の力が加わっても、両側のロックギヤを輪状のギヤと正常に噛み合う状態に保て、シートバックの着座姿勢を円滑に角度調整しまたは前倒しさせられるよう構成する両持ち式のリクライニングシートを提供することを目的とする。
【０００６】
【課題を解決するための手段】
本発明の請求項１に係る両持ち式リクライニングシートにおいては、円盤形のハウジングと、ギヤ歯を外周壁の内面に設けた円盤形のカバープレートとをすれ違い回転可能に相対させて組み付け、カバープレートのギヤ歯と噛み合うギヤ歯を外周縁に設けたロックギヤと、ロックギヤをカバープレートのギヤ歯と噛合せ乃至は解除させるカムとをハウジングとカバープレートとの相対間に組み付け、カムの板面より側方に突設する作動軸をハウジング並びにカバープレートの板面中央に挿通させて組み立てたロック機構を備え、
ハウジングとカバープレートとをシートバックフレームとシートクッションフレームとの各板面に個別にあてがってロック機構をシートバックとシートクッションとの枢軸部両側に装備し、双方のロック機構をカムの作動軸に掛け渡す枢軸シャフトで相互に連結し、枢軸シャフトを介して各ロック機構のカムを同期回転させる操作レバーを片方のロック機構より外方に突出する作動軸の軸線上に装備するもので、
片方のカムを枢軸シャフトの片端部と一体に固着し、他方のカムを枢軸シャフトの他端部と数度の角度でズレ動き可能に組み付け、双方のロック機構を枢軸シャフトで相互に連結したことを特徴とする両持ち式リクライニングシート。
【０００７】
本発明の請求項２に係る両持ち式リクライニングシートにおいては、円盤形のハウジングと、輪状のギヤ歯を外周壁の内面に設けた円盤形のカバープレートとをすれ違い回転可能に相対させて組み付け、カバープレートのギヤ歯と噛み合うギヤ歯を外周縁に設けた複数のロックギヤをハウジングの内側で放射状に並べてカバープレートのギヤ歯と噛合せ乃至は解除可能に組み付けると共に、各ロックギヤをカバープレートのギヤ歯と噛合せ変位乃至は解除変位させるカムをロックギヤの中央位置に組み付け、カムの板面より側方に突設する作動軸をハウジング並びにカバープレートの板面中央に挿通させて組み立てたロック機構を備えることにより構成されている。
【０００８】
本発明の請求項３に係る両持ち式リクライニングシートにおいては、所定幅の内部空間を保って片筒端の相対する両側の周面を扁平面として変形した円筒状の枢軸シャフトを備えると共に、枢軸シャフトの空間幅より肉厚の薄い二つの鍔部を片軸端上の相対位置に形成した作動軸を片方のカムに備え、作動軸の鍔部を形成した軸端側を枢軸シャフトの変形した筒端側の筒内に嵌め合せ、片方のカムを作動軸で枢軸シャフトの筒端部と数度の角度でズレ動き可能に組み付けることにより構成されている。
【０００９】
本発明の請求項４に係る両持ち式リクライニングシートにおいては、二つの鍔部を中心軸部の相対位置に形成し、各鍔部を枢軸シャフトの筒内で相対する円弧面と摺接可能に形成し、中心軸部を枢軸シャフトの筒内で相対する扁平面と摺接可能に形成した作動軸を片方のカムに備え、作動軸の鍔部を形成した軸端側を枢軸シャフトの変形した筒端側の筒内に嵌め合せ、片方のカムを作動軸で枢軸シャフトの筒端部と数度の角度でズレ動き可能に組み付けることにより構成されている。
【００１０】
本発明の請求項５に係る両持ち式リクライニングシートにおいては、枢軸シャフトの片筒端を片方のカムと作動軸で一体に固定すると共に、作動軸の鍔部を枢軸シャフトの変形した筒内でレバー操作によるカムの回転方向と同方向に設けた円弧面の角部に当接配置させて作動軸の鍔部を形成した軸端側を枢軸シャフトの変形した筒端側に嵌め合せ、双方のロック機構を枢軸シャフトで相互に連結することにより構成されている。
【００１１】
本発明の請求項６に係る両持ち式リクライニングシートにおいては、操作レバーを枢軸シャフトと一体に固定するカムの作動軸に備え付けることにより構成されている。
【００１２】
【発明の実施の形態】
以下、添付図面を参照して説明すると、図示実施の形態は、図１で示すように右ハンドル車のアシスタントシートをリクライニングシートとして構成するのに適用されている。
【００１３】
そのリクライニングシートは、ロック機構１，１’をシートバックフレーム２のサイドフレーム２ａ，２ｂとシートクッションフレーム（図示せず）のブラケット３ａ，３ｂの枢軸部両側に備え、双方のロック機構１，１’を円筒状の枢軸シャフト４で相互に連結すると共に、操作レバー５を左側のロック機構１に備え付けることにより構成されている。
【００１４】
そのリクライニングシートにおいては、図２で示すように渦巻きバネ６（片側のみ図示）をサイドフレーム２ａ，２ｂとブラケット３ａ，３ｂとの間に掛け渡し、操作レバー５をコイルスプリング７でブラケット３ａに引張支持し、ロック機構１，１’を操作レバー５の引上げ操作で解除することから、シートバックが着座姿勢を角度調整しまたは前倒し可能にシートクッションの後部側で立付け装備されている。
【００１５】
ロック機構１，１’は、図３の左装備側で示すように円盤形のハウジング１０と、円盤形のカバープレート１１と、ギヤ歯１２ａ〜１４ａを外周縁に設けた三個のロックギヤ１２〜１４と、ロックギヤ１２〜１４を変位させるカム１５と、カム１５の作動軸１６と、更に、カム１５を押圧支持する渦巻きバネ１７ａ〜１７ｃと、ロックギヤ１２〜１４を変位誘導するガイドプレート１８と、ハウジング１０とカバープレート１１とを組付け支持するリングカバー１９とから組み立てられている。
【００１６】
ハウジング１０は、図４で示すように円環状の外周壁１０ａを有する円盤状に形成されている。内側面には、ロックギヤ１２〜１４を一つずつ片側部からスライド可能に押込み支持するガイドブロック１０ｂ〜１０ｄと、ロックギヤ１２〜１４を旋回可能に軸受け支持する支ピン１０ｅ〜１０ｇと、渦巻きバネ１７ａ〜１７ｃの内端を支持する支ピン１０ｈ〜１０ｊとが設けられている。板面中央には、カム１５の作動軸１６を挿通する軸受け穴１０ｋが設けられている。外側面には、シートクッションフレームのブラケット３ａ（図２参照）に溶接固定する突起１０ｌ〜１０ｎが設けられている。
【００１７】
カバープレート１１は、図５で示すように円環状の外周壁１１ａを有する円盤状に形成されている。その外周壁１１ａはハウジング１０の外周壁１０ａとズレ動き可能な直径の小さいもので、内面側には円環状のギヤ歯１１ｂが設けられている。板面中央には、カム１５の作動軸１６を挿通する軸受け穴１１ｃが設けられている。また、外面側にはシートバックフレーム２のサイドプレート２ａ，２ｂ（図１参照）に溶接固定する突起１１ｄ〜１１ｉが設けられている。
【００１８】
ロックギヤ１２〜１４（図３参照）は、ハウジング１０の支ピン１０ｅ〜１０ｇを嵌め合わす半円状の切欠縁１２ａ〜１４ａを持ち、片側部をガイドブロック１０ｂ〜１０ｄによりスライド可能に押込み支持するよう略方形状に形成されている。各ロックギヤ１２〜１４の外周縁には、カバープレート１１のギヤ歯１１ｂと噛合い乃至は解除可能なギヤ歯１２ｂ〜１４ｂが設けられている。また、各板面には後述するガイドプレート１８の抜き穴と嵌り合う誘導ピン１２ｃ〜１４ｃが突設されている。
【００１９】
カム１５は、図６で示すように各ロックギヤ１２〜１４を押圧し乃至は押圧解除可能な曲線形状を呈する三つの張出し顎１５ａ〜１５ｃを備えている。板面中央には、作動軸１６を挿通保持する軸受け穴１５ｄが設けられている。また、張出し顎１５ａ〜１５ｃの基部寄り板面には後述するガイドプレート１８の抜き穴と嵌合せ固定する略三角形のボス部１５ｅが設られている。
【００２０】
そのカム１５の作動軸１６（図３参照）としては、軸内端１６ａを枢軸シャフト４の片筒端と一体に嵌合せ固着する丸棒状とし、軸外端１６ｂを操作レバー５の基部に嵌合せ固定する溝加工を施したものが備えられている。
【００２１】
ガイドプレート１８は、図７で示すようにカバープレート１１の内側に収容可能な径の小さな円板状のもので、カム１５のボス部１５ｅを嵌合せ固定する略三角形の抜き穴１８ａが板面中央に設けられている。また、ロックギヤ１２〜１４の誘導ピン１２ｃ〜１４ｃを嵌め合わすガイド穴１８ｂ〜１８ｄが外周寄り板面に設けられている。
【００２２】
上述した各構成部材を備えては、図８で示すように、カム１５は作動軸１６を軸受け穴１５ｄに挿通させて固定し、作動軸１６の軸外端１６ｂをハウジング１０の軸受け穴１０ｋに挿通することによりハウジング１０の中央位置に組み付けられる。ロックギヤ１２〜１４は、片側部をガイドブロック１０ｂ〜１０ｄでスライド可能に押さえて支ピン１０ｅ〜１０ｇを支点に旋回可能にハウジング１０の内側に組み付けられる。
【００２３】
渦巻きバネ１７ａ〜１７ｃは、内端側を支ピン１０ｈ〜１０ｊに嵌め合せると共に、外端側をカム１５の張出し顎１５ａ〜１５ｃに掛け止めてカム１５に組み付けられる。これにより、カム１５はロックギヤ１２〜１４をカバープレート１１のギヤ歯１１ｂと噛み合せるよう渦巻きバネ１７ａ〜１７ｃで弾圧支持されている。
【００２４】
ロックギヤ１２〜１４の誘導ピン１２ｃ〜１４ｃは、ガイドプレート１８のガイド穴１８ｂ〜１８ｄに嵌め合わされる。ガイドプレート１８は、作動軸１６の軸内端基部をカム１５の軸受け穴１５ｄに挿通させてカム１５と一体に作動軸１６の軸線上に組付け固定される。これにより、ガイドプレート１８がカム１５と一体に回転すると、ロックギヤ１２〜１４はガイドプレート１８の回転に伴ってガイド穴１８ｂ〜１８ｄでカバープレート１１のギヤ歯１１ｂから噛合せ解除するよう変位動する。
【００２５】
カバープレート１１は、作動軸１６の軸内端１６ａを軸受け穴１１ｃに嵌め合せると共に、外周壁１１ａをハウジング１０の外周壁１０ａの内側に嵌め合わせることによりハウジング１０とすれ違い回転可能に相対させて組み付けられる。リングカバー１９は、ハウジング１０の外側に嵌め合せてカバープレート１１をハウジング１０とすれ違い回転可能に保持するよう組み付けられる。
【００２６】
このロック機構１では、通常時は、図８で示すようにカム１５がロックギヤ１２〜１４を渦巻バネ１７ａ〜１７ｃによりカバープレート１１のギヤ歯１１ｂと噛合うよう押圧支持されている。一方、図９で示すようにカム１５が渦巻バネ１７ａ〜１７ｃに抗してガイドプレート１８と一体に回転すると、ガイドプレート１８のガイド穴１８ｂ〜１８ｄがロックギヤ１２〜１４の誘導ピン１２ｃ〜１４ｃを穴内で移動することから、ロックギヤ１２〜１４がカバープレート１１のギヤ歯１１ｂから噛合い解除させるよう動作する。
【００２７】
このロック機構では、複数のロックギヤ１２〜１４がカバープレート１１のギヤ歯１１ｂと放射方向から噛み合うため、安定のよいシートバックのリクライニング機能を発揮できる。
【００２８】
右装備側のロック機構１’は、図１０で示す（但し、左装備側と共通の構成部は同じ符号で示す。）ようにハウジング１０と、カバープレート１１と、ギヤ歯１２ａ〜１４ａを外周縁に設けたロックギヤ１２〜１４と、ロックギヤ１２〜１４を変位させるカム１５と、カム１５を押圧支持する渦巻きバネ１７ａ〜１７ｃと、ロックギヤ１２〜１４を変位誘導するガイドプレート１８と、ハウジング１０とカバープレート１１とを組付け支持するリングカバー１９とを左装備側（図３参照）と逆配列に備えて組み立てられている。その構成部材中、カム１５の作動軸１６’を除き、他の部分は左装備側と共通に構成されている。
【００２９】
作動軸１６’としては、図１１で示すように二つの鍔部１６０，１６１を中心軸部１６２の相対位置に形成した軸内端１６ａ’を有するものが備え付けられている。その鍔部１６０，１６１を設けた残余の軸線部分は、ハウジング１０の軸受け穴１０ｉに嵌め合わす丸棒状の軸外端１６ｂ’として形成されている。この作動軸１６’は、カム１５の軸受け穴１５ｄ並びにガイドプレート１８の軸受け穴１８ａに軸内端１６ａ’の丸軸部分で挿通させて備え付けられている。
【００３０】
枢軸シャフト４は、作動軸１６’の軸内端１６ａ’に相応させて、図１２で示すように片筒端４ｂが所定幅の内部空間Ｓを保って周面の相対する両側を扁平面４０，４１として変形し、扁平面４０，４１の残余を円弧面４２，４３として角部４４ａ〜４４ｄを付けるよう形成されている。この片筒端４ｂの内部空間Ｓに対し、二つの鍔部１６０，１６１は空間幅より肉厚の薄いものとして形成されている。その片筒端４ｂの変形した軸線部分を除き、枢軸シャフト４は他筒端４ａに至る略全長が円筒状に形成されている。
【００３１】
その枢軸シャフト４に対し、片方のカムは、図１３で示すように作動軸１６の軸内端１６ａを円筒状の片筒端４ａに嵌め合せて両者の繋ぎ目を溶接固定することから枢軸シャフト４の片筒端４ａとリジッドに連結固定する。一方、他方のカムは作動軸１６’の鍔部１６０，１６１を設けた軸内端１６ａ’を扁平面４０，４１として変形した他筒端４ｂに嵌め合せて枢軸シャフト４の他端部４ｂと数度の角度でズレ動き可能に組み付ける。このズレ角は、枢軸シャフト４の筒形状と作動軸１６の軸形状との相関関係から７〜９°程度に設定するとよい。
【００３２】
このように構成する両持ち式のリクライニングシートでは、枢軸シャフト４の軸線を捩る方向の力が加わっても、枢軸シャフト４が他軸端４ｂでカム１５の作動軸１６’とズレ動くことから、両側のカム１５，１５を相互にズレ回転する力が加わらず、両方のロックギヤ１２〜１４，１２〜１４がカバープレート１１，１１のギヤ歯１１ｂ，１１ｂと正常に噛み合った状態に保てるため、両側のロック機構１，１’を円滑にリクライニング動作させられるよう組み立てられる。
【００３３】
その作動軸１６’の軸内端１６ａ’は、図１４で示すように作動軸１６’の各鍔部１６０，１６１を枢軸シャフト４の筒内で相対する円弧面４２，４３と摺接可能に形成し、中心軸部１６２を枢軸シャフト４の筒内で相対する扁平面４０，４１と摺接可能に形成するとよい。これにより、カム１５の作動軸１６’が角度ズレするときでも安定よくズレ動ける。
【００３４】
枢軸シャフト４は、片筒端４ａを片方のカム１５と作動軸１６でリジッドに連結固定すると共に、作動軸１６’の鍔部１６０，１６１を枢軸シャフト４の変形した筒内でレバー操作によるカム１５の回転方向と同方向に設けた円弧面４２，４３の角部４５，４６に当接配置させて嵌め合せる（図１４参照）ことから、双方のロック機構１，１’を連結するよう組み付けるとよい。また、操作レバー５は枢軸シャフト４と一体に固定する作動軸１６の軸外端１６ａに備え付けるとよい。
【００３５】
そのリクライニングシートでは、操作レバー５の初動操作時にも、図９で示すように両側のカム１５，１５をロックギヤ１２〜１４，１２〜１４と同時に当接解除するよう回転させられると共に、ガイドプレート１８がロックギヤ１２〜１４，１２〜１４を誘導するよう回転し、ロックギヤ１２〜１４，１２〜１４がカバープレート１１のギヤ歯１１ｂより噛合い解除するため、ハウジング１０とカバープレート１１とがすれ違い回転可能となり、シートバックの着座姿勢を前後に調整しまたはシートクッションの上に前倒しできる。
【００３６】
一方、操作者が操作レバー５から手を離すと、カム１５，１５が渦巻きバネ１７ａ〜１７ｃの付勢力で元の位置に回転すると共に、図８で示すようにロックギヤ１５，１５がカバープレート１１のギヤ歯１１ｂと噛合い状態に戻るため、シートバックは所定の立付け姿勢に保持される。上述した途上で、枢軸シャフト４の軸線を捩る方向の力が加わっても、枢軸シャフト４が他軸端４ｂでカム１５の作動軸１６’とズレ動くことから、両方のロックギヤ１２〜１４，１２〜１４がカバープレート１１，１１のギヤ歯１１ｂ，１１ｂと必ず正常に噛み合った状態に保てる。
【００３７】
上述した実施の形態中、ロック機構は一例を示したものであり、ハウジング１０と、カバープレート１１と、複数のロックギヤ１２〜１４と、ロックギヤ１２〜１４を変位させるカム１５と、カム１５の作動軸１６を備えることから同じ動作を得られるものであれば、図１５で示すような他のロック機構（特開平８−２５３０６３号）でも同様に組み付けられる。
【００３８】
上述した実施の形態は、複数のロックギヤ１２〜１４を備えると共に、ロックギヤ１２〜１４を変位させるカム１５をロックギヤ１２〜１４の中央位置に組み付けるロック機構に基づいて説明したが、図１６並びに図１７で示すようなロックギヤを一つ備え、そのロックギヤをリング部材の内側でギヤ歯と噛合い乃至は解除可能に組み付けたロック機構（ＵＳＰ４１０３９７０，特開平１０―１２７３９８号）を装備するリクライニングシートを構成するのにも適用できる。
【００３９】
【発明の効果】
以上の如く、本発明の請求項１に係る両持ち式のリクライニングシートに依れば、ロック機構をシートバックとシートクッションとの枢軸部両側に装備し、双方のロック機構をカムの作動軸に掛け渡す枢軸シャフトで相互に連結し、枢軸シャフトを介して各ロック機構のカムを同期回転させる操作レバーを片方のロック機構より外方に突出する作動軸の軸線上に装備するもので、片方のカムを枢軸シャフトの片端部と一体に固着し、他方のカムを枢軸シャフトの他端部と角度ズレ可能に組み付けて双方のロック機構を枢軸シャフトで相互に連結することから、枢軸シャフトの軸線を捩る方向の力が加わっても、枢軸シャフトが他軸端でカムの作動軸とズレ動くことから、両側のカムを相互にズレ回転する力が加わらず、両方のロックギヤがカバープレートのギヤ歯と正常に噛み合った状態に保てるため、両側のロック機構を円滑にリクライニング作動させられるよう構成できる。
【００４０】
本発明の請求項２に係る両持ち式リクライニングシートに依れば、円盤形のハウジングと、輪状のギヤ歯を外周壁の内面に設けた円盤形のカバープレートとをすれ違い回転可能に相対させて組み付け、カバープレートのギヤ歯と噛み合うギヤ歯を外周縁に設けた複数のロックギヤをハウジングの内側で放射状に並べてカバープレートのギヤ歯と噛合せ乃至は解除可能に組み付けると共に、各ロックギヤをカバープレートのギヤ歯と噛合せ変位乃至は解除変位させるカムをロックギヤの中央位置に組み付け、カムの板面より側方に突設する作動軸をハウジング並びにカバープレートの板面中央に挿通させて組み立てたロック機構を備えることから、複数のロックギヤがカバープレートのギヤ歯と放射方向から噛み合い、安定のよいシートバックのリクライニング機能を発揮できる。
【００４１】
本発明の請求項３に係る両持ち式リクライニングシートに依れば、所定幅の内部空間を保って片筒端の相対する両側の周面を扁平面として変形した円筒状の枢軸シャフトを備えると共に、枢軸シャフトの空間幅より肉厚の薄い二つの鍔部を片軸端上の相対位置に形成した作動軸を片方のカムに備え、作動軸の鍔部を形成した軸端側を枢軸シャフトの変形した筒端側の筒内に嵌め合せ、片方のカムを作動軸で枢軸シャフトの筒端部と角度ズレ可能に組み付けることにより、両側のロック機構を簡単な構造で円滑にリクライニング作動させられるよう構成できる。
【００４２】
本発明の請求項４に係る両持ち式リクライニングシートに依れば、二つの鍔部を中心軸部の相対位置に形成し、各鍔部を枢軸シャフトの筒内で相対する円弧面と摺接可能に形成し、中心軸部を枢軸シャフトの筒内で相対する扁平面と摺接可能に形成した作動軸を片方のカムに備え、作動軸の鍔部を形成した軸端側を枢軸シャフトの変形した筒端側の筒内に嵌め合せ、片方のカムを作動軸で枢軸シャフトの筒端部と角度ズレ可能に組み付けることにより、カムの作動軸が角度ズレするときでも安定よくズレ動けるよう構成できる。
【００４３】
本発明の請求項５に係る両持ち式リクライニングシートに依れば、枢軸シャフトの片筒端を片方のカムと作動軸で一体に固定すると共に、作動軸の鍔部を枢軸シャフトの変形した筒内でレバー操作によるカムの回転方向と同方向に設けた円弧面の角部に当接配置させて作動軸の鍔部を形成した軸端側を枢軸シャフトの変形した筒端側に嵌め合せ、双方のロック機構を枢軸シャフトで相互に連結することにより、操作レバーの初動操作時にも、両側のカムを共に回転できて円滑にリクライニング作動させられるよう構成できる。
【００４４】
本発明の請求項６に係る両持ち式リクライニングシートに依れば、操作レバーを枢軸シャフトと一体に固定するカムの作動軸に備え付けることにより、作動軸の角度ズレによる操作レバーの空振り動が生じないよう構成できる。
【図面の簡単な説明】
【図１】本発明に係るリクライニングシートを構成するシートバックフレームを示す正面図である。
【図２】図１のシートバックフレームを示す側面図である。
【図３】図１のシートバックフレームに備えられる左装備用のロック機構を展開させて示す説明図である。
【図４】図３のロック機構を構成するハウジングを内部側で示す側面図である。
【図５】図３のロック機構を構成するカバープレートを内部側で示す側面図である。
【図６】図３のロック機構を構成するカムを示す側面図である。
【図７】図３のロック機構を構成するガイドプレートを示す側面図である。
【図８】図３のロック機構をロック状態で示す説明図である。
【図９】図３のロック機構をロック解除状態で示す説明図である。
【図１０】図１のシートバックフレームに備えられる右装備用のロック機構を展開させて示す説明図である。
【図１１】図１０のロック機構を構成する作動軸を示す端面図である。
【図１２】図１のシートバックフレームに備えられる枢軸シャフトを示す端面図である。
【図１３】図１の枢軸シャフトと両側の作動軸との連結構造を示す説明図である。
【図１４】図１のＡ−Ａ線による枢軸シャフトの断面図である。
【図１５】本発明に係るリクライニングシートを構成するに組付け可能な図３と別の例のロック機構を示す説明図である。
【図１６】本発明に係るリクライニングシートを構成するに組付け可能な一つのロックギヤを備えるロック機構を示す説明図である。
【図１７】本発明に係るリクライニングシートを構成するに組付け可能な図１６と別の例のロック機構を示す説明図である。
【符号の説明】
１，１’　　　　　　ロック機構
２　　　　　　　　　シートバックフレーム
３ａ，３ｂ　　　　　シートクッションフレームのブラケット
４　　　　　　　　　枢軸シャフト
５　　　　　　　　　操作レバー
１０　　　　　　　　ロック機構のハウジング
１１　　　　　　　　ロック機構のカバープレート
１２〜１４　　　　　ロック機構のロックギヤ
１５　　　　　　　　ロック機構のカム
１６，１６’　　　　ロック機構の作動軸
【図１】
2004081390.tif 000003
【図２】
2004081390.tif 000004
【図３】
2004081390.tif 000005
【図４】
2004081390.tif 000006
【図５】
2004081390.tif 000007
【図６】
2004081390.tif 000008
【図７】
2004081390.tif 000009
【図８】
2004081390.tif 000010
【図９】
2004081390.tif 000011
【図１０】
2004081390.tif 000012
【図１１】
2004081390.tif 000013
【図１２】
2004081390.tif 000014
【図１３】
2004081390.tif 000015
【図１４】
2004081390.tif 000016
【図１５】
2004081390.tif 000017
【図１６】
2004081390.tif 000018
【図１７】
2004081390.tif 000019
【手続補正書】
【提出日】平成14年8月29日(2002.8.29)
【手続補正１】
【補正対象書類名】図面
【補正対象項目名】図２
【補正方法】変更
【補正の内容】
【図２】
2004081390.tif 000020
【手続補正２】
【補正対象書類名】図面
【補正対象項目名】図３
【補正方法】変更
【補正の内容】
【図３】
2004081390.tif 000021